(57)【特許請求の範囲】
【請求項１】
義歯用の平板状の器具（５２）を保持する装置（５１）を有する咬合器（１）であって、継手（３６）を備えた下部分（３５）と上部分（３７）とを有し、上部分（３７）は下部分（３５）に着脱可能に支えられ、横方向に延びる回転軸（５）のまわりに回転自在であり、前記器具（５２）を咬合器に保持するホルダ（５５）を有し、咬合器（１）の下部分（３５）のみの使用においては、ホルダ（５５）は下部分（３５）の継手部（３６）に、継手部（３６）と回転軸（５）とのまわりに回転可能となるように保持されることを特徴とする咬合器。
【請求項２】
前記の継手部（３６）はボールヘッド（３６ａ）であることを特徴とする請求項１の咬合器。
【請求項３】
前記のボールヘッド（３６ａ）にはそれぞれ水平のピンが設けられていることを特徴とする請求項２の咬合器。
【請求項４】
前記のホルダ（５５）は横方向に延長された軸支部（５３）を備え、この軸支部の両端部には軸支凹部（６９）が形成され、この軸支部は前記のボールヘッド（３６ａ）に着脱自在に取り付けられていることを特徴とする請求項２または３の咬合器。
【請求項５】
前記の軸支部（５３）は横方向に伸縮自在な伸縮部を有し、また前記の軸支凹部（６９）はこの軸支部の両端面の中心部に形成された凹部（６９）であり、上記の軸支部は前記のボールヘッド（３６ａ）に同軸状に設けられていることを特徴とする請求項４の咬合器。
【請求項６】
前記の軸支部（５３）の伸縮部は前記の継手部（３６）に対してスプリングの付勢力によって押圧されていることを特徴とする請求項５の咬合器。
【請求項７】
前記の軸支部（５３）は２つの継手（５６，５７）を備え、これら継手は互いに縦方向に配列され、これら継手によって前記の器具（５２）を自由に調整自在とすることを特徴とする請求項４ないし６のいずれか１に記載の咬合器。
【請求項８】
前記の継手（５６，５７）の少なくとも１つはボール継手（５８）であることを特徴とする請求項７の咬合器。
【請求項９】
前記の軸支部（５３）と器具（５２）との間には前記のホルダ（５５）を支持する支持部が設けられ、この支持部は前記の軸支部（５３）または器具（５２）の少なくともいずれかに迅速作動カップリングすなわち挿入形のソケット（５９，６２）によって位置決めおよび荷重に対するロックがなされることを特徴とする請求項４ないし８のいずれか１に記載の咬合器。
【請求項１０】
前記の挿入形のソケット（６２）は、挿入凹部（７１）を備え、またさらに挿入ピンを有し、この挿入ピンは上記の挿入凹部（７１）に固定可能であることを特徴とする請求項９の咬合器。
【請求項１１】
前記の挿入形のソケット（６２）は、挿入凹部（７１）を備え、この挿入凹部（７１）は前記の軸支部（５３）に形成され、またさらに挿入ピンを有し、この挿入ピンは前記のホルダ（５５）上に設けられ、この挿入ピンは前記の挿入凹部（７１）に固定可能であることを特徴とする請求項９の咬合器。
【請求項１２】
支持軸（６３）の上端部は前記挿入凹部内に挿入されており、この挿入凹部は上方または前方が開放されており、この挿入凹部を有する前記の軸支部が上記の支持軸（６３）のシヨルダー部と、この支持軸の先端部に螺装されたナット（７３）との間で保持されていることを特徴とする請求項１０または１１の咬合器。
【請求項１３】
前記の挿入ピンは支持軸（６３）の上端部であり、この支持軸（６３）の上端部は挿入凹部内に水平方向に移動自在に挿入され、この挿入凹部（７１）は上方、前方または後方が開放されており、この挿入凹部（７１）を有する前記の軸支部が前記の支持軸（６３）のシヨルダー部の横方向のピン（７２）と、この支持軸の先端部に螺装されたナット（７３）との間で保持されていることを特徴とする請求項１０または１１の咬合器。
【請求項１４】
中心合わせの手段を備えていることを特徴とする請求項１２または１３の咬合器。
【請求項１５】
中心合わせの手段を備え、この手段は、前記の横方向のピン（７２）が嵌合する横方向の溝と、また前記のナット（７３）に形成された円錐面（７５）に対応した円錐面から構成されていることを特徴とする請求項１２または１３の咬合器。
【請求項１６】
前記のホルダ（５５）には前記継手（５６，５７）が設けられていることを特徴とする請求項１２ないし１５のいずれか１に記載の咬合器。
【請求項１７】
前記のホルダ（５５）には前記継手（５６、５７）が設けられ、この支持軸（６３）は対応した継手（５６）の継手ボール（８１）に一体的に接続されていることを特徴とする請求項１２ないし１５のいずれか１に記載の咬合器。
【請求項１８】
前記の器具（５２）には支持ロッド（５８）が設けられており、また前記の軸支部（５３）には、孔がソケットとして設けられており、上記の支持ロッド（５８）はこの孔に挿入されかつ固定されることを特徴とする請求項４ないし１７のいずれか１に記載の咬合器。
【請求項１９】
前記の器具（５２）には支持ロッド（５８）が設けられており、この支持ロッド（５８）は水平後方に延長されており、また前記の軸支部（５３）には、孔がソケットとして設けられており、上記の支持ロッド（５８）はこの孔に挿入されかつ固定されることを特徴とする請求項４ないし１７のいずれか１に記載の咬合器。
【請求項２０】
前記の孔は前記の器具（５２）の継手（５７）の前記継手ボール（８２）に形成されていることを特徴とする請求項１８または１９の咬合器。
【請求項２１】
前記の継手（５６，５７）は共通の固定部材によって固定可能であり、この固定部材は固定螺子（８３）であり、この固定部材は一方の継手のみを解放または固定し、この後に、さらに他方の継手を解放または固定し、異なる時間に固定部材が作用することを特徴とする請求項７ないし２０のいずれか１に記載の咬合器。
【請求項２２】
前記の継手ボール（８２）の孔はスリットであり、この継手ボール（８２）と前記の支持ロッド（５８）との間にクランプ接続を形成し、このクランブ接続は同じ固定部材（８３）によって対応する継手を同時に解放または固定するものであることを特徴とする請求項１８ないし２１のいずれか１に記載の咬合器。
【請求項２３】
前記の器具（５２）は、その下面（５２ａ）が凸面状をなし、また突設された支持ロッド（５８）からなる保持部を備え、この器具（５２）は合成樹脂または透明な材料で形成されており、またその上面（８４）は平面であることを特徴とする請求項１ないし２２のいずれか１に記載の咬合器。
【発明の詳細な説明】
【０００１】
【産業上の利用分野】
本発明は、歯科用の咬合器において、歯の成形のための板状の器具、特にポジショニングカロッテを保持する装置を有する咬合器に関する。
【０００２】
【従来の技術】
従来の咬合学においては、総義歯の安定をなすには、人工歯列はそれぞれの段階の咬合状態において可能な限り全ての歯が接触および接合を維持する必要があり、特に後方部分は口を開いた状態で離れてはならないとされている。これは咬合曲線（Ｓｐｅｅの曲線）と称されており、上記のような接触を維持するためのものである。
【０００３】
下歯列の計算のためのカーブの深さは、歯槽の縁の列と垂直に測定しなければならない。下歯列の歯槽縁部の列は、通常その側歯列部において凹状となっており、第１臼歯の近傍においてこの曲線は最も深くなっている。
【０００４】
この咬合曲線の球面状の曲線は、切歯の重ね合わせ、犬歯の高さ、顆関節の軌跡等の各種の条件により決定されれる。
【０００５】
従来は、総義歯の歯の位置決めは、歯科医が患者から決定したワックス壁の高さに対応してまず最初に下前歯列から設定する。そして、この下前歯列が設定された後に、犬歯の位置決めをする。そして、この後に小臼歯および大臼歯の設定をおこなう。これらの歯列の位置決めをおこなう場合には、特に咬合曲線を考慮することが重要である。このため、ポジショニングカロッテ（ｐｏｓｉｔｉｏｎｉｎｇ  ｃａｌｏｔｔｅ  ）と称されるものが使用されている。このポジショニングカロッテを保持するには、下顎の歯列を咬合器の上アームに上顎ベースプレートに対して保持する必要がある。
【０００６】
しかし、従来のこのような保持装置は、各種の不具合がある。第１の不具合は、この咬合器の上部分が歯科医の視界と作業性を損なっていた。また、上記のポジショニングカロッテを所定の方向に正確に取り付けることが困難であった。
【０００７】
従来のポジショニングカロッテは、このカロッテ全体の形状に対応して湾曲した金属板を備えている。
【０００８】
【発明が解決しようとする課題】
本発明は以上の事情に基づいてなされたもので、上述のような不具合を解消し、義歯の調整をより簡単確実におこなうことができる装置を提供することを目的とするものである。
【０００９】
【課題を解決するための手段】
本発明は、義歯用の平板状の器具（５２）を保持する装置（５１）を有する咬合器（１）であって、継手（３６）を備えた下部分（３５）と上部分（３７）とを有し、上部分（３７）は下部分（３５）に着脱可能に支えられ、横方向に延びる回転軸（５）のまわりに回転自在であり、前記器具（５２）を咬合器に保持するホルダ（５５）を有し、咬合器（１）の下部分（３５）のみの使用においては、ホルダ（５５）は下部分（３５）の継手部（３６）に、継手部（３６）と回転軸（５）とのまわりに回転可能となるように保持されることを特徴とする。
【００１０】
【作用】
本発明によれば、歯列を見やすくなり、また作業性が改善される。また、本発明によれば、この咬合器の下部分の接合部分の着脱の作業性が向上し、このホルダの傾動作業が妨げられない。
【００１１】
本発明によれば、咬合器の上部分を取り外し、たとえば歯列の位置決め等の際に下部分のみで使用することができる。
【００１２】
また本発明によれば、歯列が良く見え、また簡単に製造することができ、迅速かつ能率的に作業をおこなうことができるポジショニングカロッテを提供することができる。
【００１３】
また、本発明によれば、器具を容易に位置決め固定でき、しかも製造が容易で小型化した装置を提供することができる。
【００１４】
【実施例】
以下、図を参照して本発明の実施例を説明する。図示する咬合器１は、下咬合アーム２と、上咬合アーム３とを備え、この上咬合アームは枢着軸５まわりに回動自在に設けられており、前後方向に沿って配置され、この咬合器の鉛直な中心面に対して垂直に配置されている。また、この咬合器にはＵ字状の支持フレーム６が設けられ、この支持フレームには上方に延長された２つの脚部７が形成されている。そして、この支持フレームの脚部７の先端部には、それぞれ枢着ベアリング部９が設けられている。好ましくは、この咬合器はアルコン咬合器と称されるものであり、回転スライド継手１１を有し、上記の上咬合アーム３にはスライドガイド１２が設けられている。また、これらの咬合アーム２，３の後部は、その側面が互いに重ね合わされており、また歯型または歯型のベース部が載置される位置決部１３が設けられ、上記の咬合アーム２，３に形成された孔を貫通した螺子１５およびこれら咬合アーム２，３から突設された位置決ピンによって固定されている。また、図示のように、下顎型および上顎型にそれぞれ対応した２つのベース部１９が設けられている。これら咬合アーム２，３の一方、たとえば下咬合アーム２の前端部には切歯テーブル２１が取り付けられており、この切歯テーブルからは伸縮自在な支持ピン２２が上方に向けて着脱自在に取り付けられており、この支持ピンの先端部は他方の咬合アーム、たとえば上咬合アーム３に着脱自在に正確に位置決めされて取り付けられている。この切歯テーブル２１および支持ピン２２は、上記とは逆にこれら下咬合アーム２または上咬合アーム３のいずれにも取り付けられることが好ましい。また、これらの咬合アーム２，３の先端部には、上記の支持ピンを取り付けるための取り付けスロット２３ａ，２３ｂが設けられ、これらスロットはこの装置の縦中心面に沿って配置され、その前端部は開放されている。これらの取り付けスロットには、上記の切歯テーブル２１および支持ピン２２の両方が取り付け可能に構成され、これら切歯テーブルおよび支持ピンに形成された径の縮小部がこれらスロット内に嵌合し、螺子部材３１を締め付けることにより、これらは咬合アーム２，３に固定される。
【００１５】
また、この咬合器１は、下部分３５を備え、この下部分は上記の下咬合アーム２、フレーム６、およびこのフレームの脚部７の内側に同軸に突設された継手ヘッド３６とから構成されている。またこの咬合器は上部分３７を備えており、この上部分は上咬合アーム３、継手ボス部３８およびこれに取り付けられた継手ハウジング３９とから構成され、この継手ハウジング内には上記の継手ボス部３６および前記の回動スライド継手１１が収容されている。この上部分３７は、上記の継手ハウジング３９に対応して設けられて２個のセンターロック４２によって上記の回転スライド継手１１の部分に着脱自在に保持されている。これらの各センターロック４２は、Ｃ字状のロックシャックル４３を備えており、これらロックシャックルは横方向の軸４４まわりに回動し、ロック位置に位置した場合には、上記の水平内側に延長された継手ヘッドの下側に形成された継手凹部４０に好ましくは前後方向に嵌合するように構成されている。
【００１６】
咬合器は、人体の下顎の解剖学的な動きと同じ動きをするように構成されている。しかし、この実施例では、下顎すなわち下部分３５ではなく、上部分３７すなわち上顎が下部分３５に対して動くように構成されている。（アルコン型咬合器）
この咬合器１は、平均的な値があらかじめ設定された非調節形の咬合器、および患者の頭部の実際の解剖学的な形態に対応して継手のガイド面を調節可能な調節形の咬合器、の両方に適用することができる。
【００１７】
上記の回転スライド継手１１は、以下のような４つの自由度を有している。
【００１８】
第１の自由度は、回動ベアリングによる自由度で、上記の継手ハウジング３９は回転軸５まわりに回転自在であり、また固定機構（図示せず）により任意の回転位置に固定できるように構成されている。よって、矢状案内面４６の傾斜が調整できる。
【００１９】
また、第２の自由度は、回転ベアリングによる自由度で、矢状案内面およびベネット案内面を有したベアリング部５０が鉛直な回転軸４６ａまわりに回転でき、また固定要素４６ｂにより任意の回転位置で固定できる。よって、ベネット角を任意に調節することができる。
【００２０】
また、第３の自由度は、１つまたは両方のベアリング部３９の自由度で、これらのベアリング部は回転軸５の軸方向に対して調整自在であり、また任意の調節位置に固定できる。この調整は、継手ハウジング３９と一体化された横方向の調整ガイド（図示せず）によっておこなうことができる。
【００２１】
また、第４の自由度は、横方向ガイド部による自由度である。この横方向ガイドの調整は、後側に結合されたれた継手凹部４０の径方向の寸法を段階的または連続的に変更し、シフト角度（図示せず）を変更するものである。
【００２２】
ポジショニングカロッテを保持する機構５１は、幾つかの部分、すなわちこの咬合器の下部分３５のボールヘッド３６ａに装着される継手部、連結部５４に連結された伸縮ロッド５３、および軸方向に配置された２つの継手５６，５７を有するホルダ５５等を備えている。上記のホルダはポジショニングカロッテ５２を保持するもので、このポジショニングカロッテは略水平の前後方向の支持ロッド５８を備えており、この支持ロッドは上記のホルダ５５の差し込み型のソケット５９内に挿入されており、その中心軸線６１まわりに回動自在でかつこの中心軸線方向に移動自在であり、また任意の位置で固定できる。
【００２３】
また、前記の連結部５４と上記のホルダ５５の上支持軸６３との間には、差し込み型の接続部６２が設けられ、このホルダ５５がこの連結部５４の後側から操作できるように構成されている。
【００２４】
上記の伸縮ロッド５３は、外側チューブ６４と内側部材６５とから構成されており、この内側部材はこの外側チューブ内に挿入され、圧縮スプリング６６によってこの外側チューブ６４から外側に突出するように付勢されている。この内側部材には縦方向のスリット６７が形成され、上記の外側チューブおよびこのスリットを貫通したピン６８によってこの内側部材が抜け出すのを防止している。この外側チューブ６４および内側部材６５の端部には、それぞれ円錐形の凹部６９が形成され、この伸縮ロッド５３は上記の圧縮スプリングの付勢力によってボールヘッド３６ａの間に弾性的に嵌合しており、これによって回転軸５まわりに回転自在に保持されている。
【００２５】
また、前記の連結部５４は上記の外側チューブから好ましくは上斜め後方に突設されたブロック状の本体を有しており、このブロック状の本体はこの外側チューブ６４と一体に嵌合している。この連結部５４のブロック状の本体の端面、たとえば後面には鉛直方向の挿入スリット７１が形成され、このスリットは後面に開放され、このスリット内には支持軸６３が横方向にわずかな遊びをもって挿入されている。また、上記の支持軸６３にはそのショルダー部として横方向のピン７２が設けられ、このピンは上記の連結部５４の下面に当接し、この支持軸がナット７３により上方に引っ張られる荷重を支持している。このナット７３は連結部５４から上方に突出したこの支持軸６３の上端部に螺装されている。このような差し込み型の接続部６２において、上記のピン７２が上記の連結部５４の下面に形成された横方向の溝内に嵌合し、また上記のナット７３には円錐面７５が形成され、この円錐面が上記の縦方向のスリット７１の上端部の円錐部分に嵌合することにより、この接続部６２の支持軸６３の中心合わせがなされている。
【００２６】
また、上記のホルダ５５の２つの継手５６，５７は、上記の差し込み形の継手５９の軸方向に移動自在であり、前記のポジショニングカロッテ５２は３次元的に任意の位置決めができるように大きな自由度を与えられる。なお、好ましくは上記の継手５６，５７はボール継手である。この継手５６は、ホルダの弓状のホルダ部材７６と上記の支持軸６３の間に設けられ、この支持軸６３は対応するボール継手に連結される。また、第２の継手５７はホルダ部材７６と支持ロッド５８の間に設けられ、このボール継手は上記の支持ロッド５８が装着される孔を有している。これら継手５６，５７はそれぞれ上記の弓形のホルダ部材７６の横方向の取り付け部７７，７８の部分に配置され、それぞれボール継手８１，８２に嵌合している。これらの継手５６，５７は共通した螺子部材８３によって固定できるように構成され、この螺子部材８３を右または左に回転させることにより、これら継手を固定または解放できる。このボール継手８２は上記の支持ロッド５８を保持するための軸方向のスリットを有し、上記の螺子部材８３を回転させることにより、この支持ロッド５８を任意の軸方向位置および回転位置で固定できる。
【００２７】
上記のホルダ５５はドイツ特許出願  Ｐ  ４２  １１  ０１８．１−３５に開示されており、また上記の咬合器はドイツ特許出願  Ｐ  ４２  １１  ０２０．３−３５に開示され、また上記の支持ピン２２と切歯テーブル２１はドイツ特許出願  Ｐ  ４２  １１  ００８．４−３５に開示されている。重複した説明を避けるため、これら引例の明細書および図面を参照されたい。この咬合器１は、位置決め部材として突出ピン４８を備え、これらの突出ピンにはフエイス・ボウのサイドアームの凹部等の位置決め要素が嵌合し、のフエイス・ボウを所定の位置に取り付けることができる。
【００２８】
また、上記のポジショニングカロッテ５２は、歯列に対応した平面形状をなしている。このポジショニングカロッテの下面５２ａは凸面状をなしており、咬合曲線たとえば曲率半径１２５ｍｍの曲線をなしている。これによって、このポジショニングカロッテは２５ないし２８％の歯冠傾斜を与えられている。これらは、Ｉｎｖｏｃｌａｒ，Ｄｅ  Ｔｒｙ，Ｌｉｎｄａｕｅｒ歯列等の多くの歯列に適用することができる。このカロッテの曲率半径は必要に応じて他の曲率半径が採用できる。
【００２９】
また、このポジショニングカロッテ５２の上面８４は、その支持ロッド５８の軸方向と平行な平面に構成され、取り付け状態では略水平方向である。このポジショニングカロッテの本体は合成樹脂材料で形成され、好ましくは透明な合成樹脂材料で形成されており、正確かつ迅速、経済的に製造することができる。上記の支持ロッド５８は一体または別体の構造部材で、金属材料等から構成され、このカロッテの本体５２ｂに埋め込まれている。このカロッテの本体５２ｂが透明であるために、歯列の上面が見えるばかりでなく、着色された線等でこのカロッテの本体の上面または下面にマーキングをすることができ、作業を能率的におこなうことができる。たとえば、顎の中間部を着色された線でこのカロッテ本体５２ｂの上面または下面に表示することができる。このカロッテの下面５２ａおよび上面８４は、球面状であることが好ましい。
【００３０】
義歯の中央の裂け目、中心位置等を荷重を加えずに顎の縁部に表示することができる。
【００３１】
このポジショニングカロッテ５２は好ましくは摘み部８５を備えており、この摘み部を把持してこのポジショニングカロッテを位置決めすることができる。この実施例では、摘み柱８６の上端部に径の大きな頭部８７が形成されており、たとえばカロッテ本体５２に形成された鉛直な孔内に取り付けられている。
【００３２】
フエイス・ボウとして、この咬合器１は載置される水平なテーブル面と平行なカンペル面が設定されている。このテーブル面が水平でかつ咬合アーム２，３がその作業位置にあると、第１のガイド３１とインジケータ３３とが鼻下前方点を表示する。したがって、咬合面は水平に配置される。
【００３３】
また、このカロッテの本体の下面５２ａは曲面であるので、このカロッテは３つに分割されている奥臼歯結節に適合することができる。
【００３４】
この咬合器の上部分３７は取り外すことができる。これによって、上顎型が良く見える。このような観点からは、作業性を向上させる支持ピン２２は無くても良い。
【００３５】
そして、このカロッテが位置決めされると、螺子部材８３によってその位置に固定される。
【００３６】
従来のカロッテと比較して、本発明のものは全てのフエイス・ボウに適合することができる。
【００３７】
【発明の効果】
本発明によれば、歯列が良く見え、また簡単に製造することができ、迅速かつ能率的に作業をおこなうことができるポジショニングカロッテを提供することができる。また、器具を容易に位置決め固定でき、しかも製造が容易で小型化した装置を提供することができる。
【図面の簡単な説明】
【図１】本発明の咬合器の斜視図
【図２】本発明の咬合器の下部分にポジショニングカロッテを装着した状態の斜視図
【図３】ポジショニングカロッテのホルダの左側面図
【図４】ポジショニングカロッテのホルダの平面図
【符号の説明】
１…咬合器
２…下咬合アーム
３…上咬合アーム
３５…下部分
３６…継手部
３７…上部分
５２…ポジショニングカロッテ
５３…軸支部
５５…ホルダ
【図１】
0003616141.tif 000002
【図２】
0003616141.tif 000003
【図３】
0003616141.tif 000004
【図４】
0003616141.tif 000005